(57)【特許請求の範囲】
【請求項１】
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の板面に、該板面に対して直交する方向に突出すると共に前記図柄表示部に停止表示される前記図柄の組合わせラインに沿って延在するよう配設された板状の表示部材と、
前記表示部材の左側端面および右側端面間に延在する反射面で形成され、左右中央が前記透明板の板面に近接すると共に、左右両端に向かうにつれて該板面から徐々に離間するよう平面視において略Ｖ字状に形成された溝部と、
前記表示部材における前記溝部の端部が臨む前記左側端面および右側端面に夫々隣接して、該溝部の前記反射面に対して照射光を照射可能に配置され、遊技態様に対応して点灯・消灯制御される光源とからなり、
前記溝部の反射面の不透明度は、前記表示部材の左右両側端面の側から中央部に向けて徐々に増大するよう設定され、
前記光源が点灯制御された際に該光源からの照射光が前記溝部の反射面で反射し、これにより前記透視板体の表面に明輝した該溝部が前記有効ラインとして表示されるよう構成した
ことを特徴とする図柄表示装置の有効ライン表示構造。
【請求項２】
前記光源を、前記透明板に対する表示部材の突出方向に離間して複数個並べて配設し、前記溝部の反射面の異なる位置に対して各光源からの照射光が斜めに照射されるよう構成した請求項１記載の図柄表示装置の有効ライン表示構造。
【発明の詳細な説明】
【０００１】
【発明の属する技術分野】
この発明は、図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造に関するものである。
【０００２】
【従来の技術】
パチンコ機、スロットマシンあるいはパチンコ式スロットマシン等の遊技機では、遊技中に発生する毎回の始動および停止を含む変動制御条件に基づいて図柄組合わせゲームを展開し、特別遊技状態に係る権利とされる図柄組合わせ条件を成立表示することのできる遊技装置として、ドラム式図柄表示装置、ベルト式図柄表示装置、液晶式図柄表示装置等の各種形態の図柄表示装置が好適に採用されている。例えば図１１は、ベルト式図柄表示装置を搭載したパチンコ機の遊技盤１０を例示したもので、この遊技盤１０に搭載したベルト式図柄表示装置２０は、図１２に示すように基本的な構成として、１つの本体ケース２１内に複数基(一般的には左列、中列、右列の３基)の図柄表示ユニット２２を並列に収容セットして構成されている。各図柄表示ユニット２２は、駆動基板を兼用するセット板２３に設けた回転駆動手段２４と、この回転駆動手段２４を構成する各プーリ２５ａ,２５ｂ,２５ｃに展張掛装され、フィルム外面に色彩区分された数字、アルファベット文字、その他の図形やマーク等の各種多様な図柄２７(図１３参照)を設けた無端状の図柄ベルト２６と、位置決め検出手段２８および照明手段２９等を含めて単一にユニット化されている。そして、３基の図柄表示ユニット２２を並列に収容セットした前記本体ケース２１では、該ケース２１の前側に開口した図柄表示部３０に、夫々の図柄表示ユニット２２における図柄ベルト２６が横並び状に臨んでいる。
【０００３】
このように構成された図柄表示装置２０は、前記遊技盤１０の前面中央に組付けた大型装飾部材１１の裏側に整合するように設置固定することにより、該大型装飾部材１１に開口形成された透視窓部１２に対して前記図柄表示部３０が整合し、前記各図柄ベルト２６の前側帯部分２６ａが該透視窓部１２に臨むようになる。なお前記図柄表示装置２０では、図１３に示すように、各図柄ベルト２６毎に３コマ分の図柄２７が透視窓部１２に臨むように設定されており、これにより透視窓部１２には合計９個(３列×３段)の図柄２７が停止表示されることになる。ここで、透視窓部１２に停止表示された３列×３段で合計９個の各図柄２７により現出される図柄組合わせラインは、▲１▼各列上段に停止した夫々の図柄同士、▲２▼各列中段に停止した夫々の図柄同士、▲３▼各列下段に停止した夫々の図柄同士、▲４▼左列上段、中列中段、右列下段に停止した夫々の図柄同士、▲５▼左列下段、中列中段、右列上段に停止した夫々の図柄同士、の合計５種類となる。
【０００４】
そこで、前述した▲１▼〜▲５▼の各図柄組合わせラインを表示するために、前記大型装飾部材１１の透視窓部１２に装着された透視板体１３に、夫々の図柄組合わせラインに対応した第１〜第５の５本の有効ラインＬ１,Ｌ２,Ｌ３,Ｌ４,Ｌ５が形成されている。
【０００５】
【発明が解決しようとする課題】
ところで、前記透視板体１３に形成した従来の有効ラインＬ１,Ｌ２,Ｌ３,Ｌ４,Ｌ５は、例えば該透視板体１３の表面に対して、適宜色調の塗料により塗装したり、シール等を貼着または蒸着したりして形成するのが一般的であった。しかしながらパチンコ機、スロットマシンあるいはパチンコ式スロットマシンでは、遊技効果や装飾効果の向上を図る目的で前記大型装飾部材１１やその近傍に、多数の装飾ランプ１４や色鮮やかな色調に塗装された装飾部材１５等が配設されているため、前記有効ラインＬ１,Ｌ２,Ｌ３,Ｌ４,Ｌ５が見え難くなって視認性が低いものとなっていた。このためパチンコ機では、図柄変動中においてリーチが発生した際等に図柄組合わせラインの図柄配列が分かり難い問題を内在しており、またスロットマシンやパチンコ式スロットマシンでは、遊技機使用権利媒体としてのコインまたはパチンコ球の投入数に応じて設定される図柄組合わせラインの図柄配列が分かり難い問題を内在していた。
【０００６】
【発明の目的】
本発明は、前述した従来の技術に内在している前記課題に鑑み、これを好適に解決するべく提案されたものであって、透視板体の近傍に配設した光源からの照射光を該透視板体を構成する透明板に設けた溝部の反射面で反射させ、これにより明輝した該溝部で有効ラインを表示することで該有効ラインの視認性を向上させるようにした図柄表示装置の有効ライン表示構造を提供することを目的とする。
【０００７】
【課題を解決するための手段】
前述した課題を克服し、所期の目的を好適に達成するため本発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の板面に、該板面に対して直交する方向に突出すると共に前記図柄表示部に停止表示される前記図柄の組合わせラインに沿って延在するよう配設された板状の表示部材と、
前記表示部材の左側端面および右側端面間に延在する反射面で形成され、左右中央が前記透明板の板面に近接すると共に、左右両端に向かうにつれて該板面から徐々に離間するよう平面視において略Ｖ字状に形成された溝部と、
前記表示部材における前記溝部の端部が臨む前記左側端面および右側端面に夫々隣接して、該溝部の前記反射面に対して照射光を照射可能に配置され、遊技態様に対応して点灯・消灯制御される光源とからなり、
前記溝部の反射面の不透明度は、前記表示部材の左右両側端面の側から中央部に向けて徐々に増大するよう設定され、
前記光源が点灯制御された際に該光源からの照射光が前記溝部の反射面で反射し、これにより前記透視板体の表面に明輝した該溝部が前記有効ラインとして表示されるよう構成したことを特徴とする。
【０００８】
【作用】
透明板体を構成する透明板に溝部を設けた表示部材を配設し、この溝部に対して光源からの照射光を照射することで該溝部の反射面で反射させ、これにより明輝した該溝部で有効ラインを表示するので、該有効ラインが鮮明に表示されて視認性が向上する。
そして前記光源を、前記表示部材の左側端面および右側端面に隣接して夫々配置した場合は、該溝部を平面視でＶ字状に延在形成すると共に、前記溝部の反射面の不透明度を、両側端面の側から中央部に向けて徐々に増大するよう設定すれば、該溝部全体が略均一的に明輝して有効ラインが鮮明に表示される。
なお前記光源を、前記透明板に対する表示部材の突出方向に離間して複数個並べて配設すれば、これら光源からの照射光が前記溝部の反射面に対して斜めに照射されるようになり、該照射光が反射面で好適に反射して有効ラインが鮮明に表示される。
【０００９】
【発明の実施の形態】
次に、本発明に係る図柄表示装置の有効ライン表示構造につき、好適な実施例を挙げて、添付図面を参照しながら以下詳細に説明する。なお、図１１〜図１３を参照して従来の技術で説明した既出の部材等と同一の部材等に関しては、同一の符号を付して説明する。
【００１０】
図１は、本発明の好適な実施例に係る図柄表示装置の有効ライン表示構造を示す概略斜視図である。
実施例の有効ライン表示構造は、透視板体３１を構成する透明板３３(３３Ａ〜３３Ｄ)の裏側の板面に、該板面に対して直交する方向に突出すると共に前記図柄表示部３０に停止表示される前記図柄２７の組合わせラインに沿って延在するよう配設され、不透明または半透明の反射面からなる溝部３５(３５Ａ〜３５Ｅ)が形成された表示部材３４と、この表示部材３４の側端面部に隣接した部位に該表示部材３４を指向した姿勢に配設され、遊技態様に対応して点灯・消灯制御される光源３２とから構成されている。すなわち実施例の有効ライン表示構造は、例えばアクリル板やガラス板等からなる表示部材３４の端面に当てた前記光源としてのＬＥＤランプ３２等の照射光が、該表示部材３４の内部を直進し、溝部３５(３５Ａ〜３５Ｅ)における境界面で全反射することで、最終的に前記端面に対向する対向面側から出るようになる所謂「エッジライト効果」を利用したものである。
【００１１】
前記透視板体３１は、同一サイズの矩形状に成形された複数枚の略垂直な透明板３３(３３Ａ〜３３Ｄ)を重ね合わせて構成したもので、図１１および図１３に示した前記大型装飾部材１１の透視窓部１２に垂直状態で装着し得るサイズに寸法設定されている。そして複数列・複数段、具体的には３列×３段で合計９個の前記図柄２７を図柄表示部３０に停止表示する前記図柄表示装置２０では、前述したように、図柄組合わせの成立ラインが合計５種類あることから、前記透明板３３(３３Ａ〜３３Ｄ)に対して前記第１〜第５の各有効ラインＬ１,Ｌ２,Ｌ３,Ｌ４,Ｌ５と対応する位置に表示部材３４を配設すると共に、この表示部材３４に前記溝部３５(３５Ａ〜３５Ｅ)を夫々形成することで、透視板体３１に各有効ラインＬ１,Ｌ２,Ｌ３,Ｌ４,Ｌ５を表示可能となっている。
【００１２】
(透明板および表示部材)
前記透明板３３(３３Ａ〜３３Ｄ)および表示部材３４は、透明性や光線拡散性等に優れた既存のアクリル板やガラス板等が採用され、その板厚Ｈが概ね３ｍｍ程度とされ(図５)、該透明板３３の板面である裏面(図柄表示部３０を向く面)３６に、前述した溝部３５を形成した表示部材３４が配設されている。具体的には、図４に示すように、上段の第１有効ラインＬ１、中段の第２有効ラインＬ２および下段の第３有効ラインＬ３と対応する各位置に表示部材３４を水平状態で配設することで、３枚の表示部材３４を上下方向に離間して並列に備えた第１の透明板３３Ａ(図４(ａ))と、第４および第５の各有効ラインＬ４,Ｌ５に対応する各位置に表示部材３４を右下がりまたは左下がりの状態で配設することで、交差状態の２枚の表示部材３４,３４を備えた第２の透明板３３Ｂ(図４(ｂ))と、第４有効ラインＬ４に対応する位置に、右下がり状態の１枚の表示部材３４を配設した第３の透明板３３Ｃ(図４(ｃ))と、第５有効ラインＬ５に対応する位置に、左下がり状態の１枚の表示部材３４を配設した第４の透明板３３Ｄ(図４(ｄ))等が実施され得る。従って第１の透明板３３Ａを基本としたもとで、▲１▼当該第１の透明板３３Ａに第２の透明板３３Ｂを前後に重ね合わせたり、▲２▼同第１の透明板３３Ａに、第３の透明板３３Ｃおよび第４の透明板３３Ｄを前後に夫々重ね合わせることで、５本の有効ラインＬ１,Ｌ２,Ｌ３,Ｌ４,Ｌ５を表示可能な前記透視板体３１が構成可能となっている。
【００１３】
(溝部)
前記夫々の表示部材３４に形成された溝部３５(３５Ａ〜３５Ｅ)は、図５に示すように、断面がＶ字状をなし、表示部材３４の表面から最深部に向けて対称的に傾斜する反射面３８,３８で形成されている。これら反射面３８,３８は所謂磨りガラス状に加工されたもので、巨視的には不透明状または半透明状を呈しているが、微視的には多数の微小面が連接した凹凸形態を呈している。そして、第１の透明板３３Ａに設けた溝部３５Ａ,３５Ｂ,３５Ｃと、第２の透明板３３Ｂ〜第４の透明板３３Ｄに設けた溝部３５Ｄおよび溝部３５Ｅは、図６(ａ)に示すように、平面視においてＶ字状を呈するよう形成されており、ＬＥＤランプ３２からの照射光が反射面３８,３８に対して所要角度で到達して反射され得るように設定されている。ここで、表示部材３４の左側端面３９および右側端面４０の両方に隣接してＬＥＤランプ３２,３２を夫々配設した照射形態の場合、前記各溝部３５Ａ,３５Ｂ,３５Ｃ,３５Ｄ,３５Ｅは中央部が最も前面側に偏倚し、左側端面３９および右側端面４０に向かって徐々に背面側に後退するよう設定されている。従って各ＬＥＤランプ３２からの照射光は、対応の溝部３５Ａ〜３５Ｅにおける反射面３８,３８の微小面で反射(乱反射)して透明板３３Ａ〜３３Ｄの表面３７の側へ出光するようになり、当該溝部３５Ａ〜３５Ｅが明輝表示される。
【００１４】
また前記各溝部３５Ａ,３５Ｂ,３５Ｃ,３５Ｄ,３５Ｅにおける両反射面３８,３８の不透明度は全長に亘って均一ではなく、前記ＬＥＤランプ３２の近傍では不透明度が小さく(透明に近い)、該ＬＥＤランプ３２から離れる程に不透明度が徐々に増大するように設定されている。具体的には、図６(ｂ)に略示する如く、前記ＬＥＤランプ３２を、前記表示部材３４の左側端面３９および右側端面４０に隣接して夫々配設した照射形態の場合には、前記各溝部３５Ａ,３５Ｂ,３５Ｃ,３５Ｄ,３５Ｅの反射面３８,３８の不透明度を、両側端面３９,４０の側から中央部に向けて徐々に増大するよう設定する。また図７(ａ),(ｂ)に示すように、前記ＬＥＤランプ３２を、前記表示部材３４の左側端面３９または右側端面４０の何れかに隣接して配設した照射形態の場合には、前記各溝部３５Ａ,３５Ｂ,３５Ｃ,３５Ｄ,３５Ｅの反射面３８,３８の不透明度を、前記ＬＥＤランプ３２を配設した側端面３９／４０の側から反対側の側端面４０／３９の側に向けて徐々に増大するよう設定する。これにより、前記ＬＥＤランプ３２が点灯制御された際には、該ＬＥＤランプ３２からの照射光により溝部３５Ａ〜３５Ｅ全体が略均一的に明るく輝くようになる。
【００１５】
(光源)
前記光源３２は、前記各表示部材３４の板厚と同程度の直径を有し、前述したように、前方指向性の高い照射光を発光する公知のＬＥＤランプが好適に採用され、小型ながらも各溝部３５Ａ,３５Ｂ,３５Ｃ,３５Ｄ,３５Ｅの反射面３８,３８を好適に照射可能となっている。また各ＬＥＤランプ３２は、図示しないランプ制御部により、夫々が個別に点灯・消灯制御され得るようになっている。更にＬＥＤランプ３２は、赤色、青色、緑色、黄色、白色、橙色等の種々の発光色のものが、適宜に選択して採用可能である。
【００１６】
次に、前述のような各構成部材からなる実施例の図柄表示装置の有効ライン表示構造につき、具体的な形態例をもとに説明する。
【００１７】
【第１実施例】
図１は、第１実施例に係る図柄表示装置の有効ライン表示構造を示した概略斜視図であって、この第１実施例では、図２に示すように、前記第１の透明板３３Ａと第２の透明板３３Ｂとを前後に重ね合わせ、２枚の透明板３３Ａ,３３Ｂで前記透視板体３１を構成したタイプである。前述した如く、第１の透明板３３Ａは、各溝部３５Ａ,３５Ｂ,３５Ｃを形成した各表示部材３４を、第１有効ラインＬ１〜第３有効ラインＬ３と対応する位置に配設したものであり、また第２の透明板３３Ｂには、第４有効ラインＬ４および第５有効ラインＬ５と対応する位置に、前記溝部３５Ｄまたは溝部３５Ｅを形成した表示部材３４が配設されているから、この第１の透明板３３Ａと第２の透明板３３Ｂを前後に重ね合わせるだけで、５本の各有効ラインＬ１,Ｌ２,Ｌ３,Ｌ４,Ｌ５に対応する５本の溝部３５Ａ,３５Ｂ,３５Ｃ,３５Ｄ,３５Ｅを設けた透視板体３１が構成される。
【００１８】
また、前記各表示部材３４における左側端面３９および右側端面４０に隣接した部位に、該表示部材３４を指向する姿勢の前記ＬＥＤランプ３２(３２ａ〜３２ｊ)が配設されている。具体的に第１の透明板３３Ａにおいては、左右上段に水平状に配設された各ＬＥＤランプ３２ａ,３２ｂが第１有効ラインＬ１に対応する前記溝部３５Ａを形成した表示部材３４に整合してこれを照射し、左右中段に水平状に配設された各ＬＥＤランプ３２ｃ,３２ｄが第２有効ラインＬ２に対応する前記溝部３５Ｂを形成した表示部材３４に整合してこれを照射し、左右下段に水平状に配設された各ＬＥＤランプ３２ｅ,３２ｆが第３有効ラインＬ３に対応する前記溝部３５Ｃを形成した表示部材３４に整合してこれを照射するようになっている。一方、第２の透明板３３Ｂにおいては、左上段に右下がり傾斜状に配設されたＬＥＤランプ３２ｇおよび右下段に左上がり傾斜状に配設されたＬＥＤランプ３２ｈが、第４有効ラインＬ４に対応する前記溝部３５Ｄを形成した表示部材３４に整合してこれを照射し、右上段に左下がり傾斜状に配設されたＬＥＤランプ３２ｉおよび左下段に右上がり傾斜状に配設されたＬＥＤランプ３２ｊが、第５有効ラインＬ５に対応する前記溝部３５Ｅを形成した表示部材３４に整合してこれを照射するよう構成される。なお、各表示部材３４の左右両側端面３９,４０にＬＥＤランプ３２(３２ａ〜３２ｊ)が配置されていることに伴い、各溝部３５Ａ,３５Ｂ,３５Ｃ,３５Ｄ,３５Ｅにおける反射面３８,３８の不透明度は、図６(ｂ)に示す如く、両側端面３９,４０の側から中央部に向けて徐々に増大するよう設定されている。
【００１９】
このように構成された第１実施例に係る図柄表示装置の有効ライン表示構造では、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には、該ＬＥＤランプ３２ａ〜３２ｊからの照射光が対応の表示部材３４に形成された溝部３５Ａ,３５Ｂ,３５Ｃ,３５Ｄ,３５Ｅの反射面３８,３８で反射し、これにより明輝した該溝部３５Ａ,３５Ｂ,３５Ｃ,３５Ｄ,３５Ｅが前記透視板体３１の表面３７に有効ラインＬ１,Ｌ２,Ｌ３,Ｌ４,Ｌ５として表示される。例えば、前記ＬＥＤランプ３２ａ,３２ｂが点灯制御された際には溝部３５Ａが明輝して第１有効ラインＬ１が鮮明に表示され、前記ＬＥＤランプ３２ｃ,３２ｄが点灯制御された際には溝部３５Ｂが明輝して第２有効ラインＬ２が鮮明に表示されると共に、前記ＬＥＤランプ３２ｅ,３２ｆが点灯制御された際には溝部３５Ｃが明輝して第３有効ラインＬ３が鮮明に表示される。また前記ＬＥＤランプ３２ｇ,３２ｈが点灯制御された際には溝部３５Ｄが明輝して第４有効ラインＬ４が鮮明に表示され、前記ＬＥＤランプ３２ｉ,３２ｊが点灯制御された際には溝部３５Ｅが明輝して第５有効ラインＬ５が鮮明に表示される。
【００２０】
そして第１実施例の有効ライン表示構造では、第１および第２の合計２枚の透明板３３Ａ,３３Ｂを重ね合わせることで、合計５本の各有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板が必要)と比較すると、透視板体３１の厚みを格段に小さく抑えることができるから(図３参照)、図柄表示部３０に停止表示される各図柄２７が歪んで見える等の透視弊害が生ずることはなく、また部材点数の増加に伴うコストアップを招来することもない。しかも、各溝部３５Ａ,３５Ｂ,３５Ｃ,３５Ｄ,３５Ｅ全体が略均一的に明輝するので、夫々に対応した各有効ラインＬ１,Ｌ２,Ｌ３,Ｌ４,Ｌ５が鮮明に表示される。
【００２１】
【第２実施例】
図８は、第２実施例に係る図柄表示装置の有効ライン表示構造を示した概略斜視図であって、この第２実施例では、図９に示すように、前記第１の透明板３３Ａと第３の透明板３３Ｃおよび第４の透明板３３Ｄとを前後に重ね合わせ、３枚の透明板３３Ａ,３３Ｃ,３３Ｄで前記透視板体３１を構成したタイプである。前述したように第１の透明板３３Ａには、第１、第２および第３の各有効ラインＬ１,Ｌ２,Ｌ３に対応する各溝部３５Ａ,３５Ｂ,３５Ｃを形成した表示部材３４が配設されており、また第３の透明板３３Ｃには、第４有効ラインＬ４に対応する溝部３５Ｄを形成した表示部材３４が配設され、更に第４の透明板３３Ｄには、第５有効ラインＬ５に対応する溝部３５Ｅを形成した表示部材３４が配設されているから、３枚の各透明板３３Ａ,３３Ｃ,３３Ｄを前後に重ね合わせるだけで、５本の各有効ラインＬ１,Ｌ２,Ｌ３,Ｌ４,Ｌ５に対応する５本の溝部３５Ａ,３５Ｂ,３５Ｃ,３５Ｄ,３５Ｅを設けた透視板体３１が構成される。
【００２２】
また図８に示す如く、前記各表示部材３４における左側端面３９および右側端面４０に隣接した部位に、該表示部材３４を指向する姿勢の前記ＬＥＤランプ３２(３２ａ〜３３ｊ)が配設されている。具体的に第１の透明板３３Ａでは、左右上段に水平状に配設された各ＬＥＤランプ３２ａ,３２ｂが、第１有効ラインＬ１に対応する前記溝部３５Ａを形成した表示部材３４に整合して該溝部３５Ａを照射する。また左右中段に水平状に配設された各ＬＥＤランプ３２ｃ,３２ｄが、第２有効ラインＬ２に対応する前記溝部３５Ｂを形成した表示部材３４に整合して該溝部３５Ｂを照射し、更に左右下段に水平状に配設された各ＬＥＤランプ３２ｅ,３２ｆが、第３有効ラインＬ３に対応する前記溝部３５Ｃを形成した表示部材３４に整合して該溝部３５Ｃを照射する。一方、第３の透明板３３Ｃでは、左上段に右下がり傾斜状に配設されたＬＥＤランプ３２ｇおよび右下段に左上がり傾斜状に配設されたＬＥＤランプ３２ｈが、第４有効ラインＬ４に対応する前記溝部３５Ｄを形成した表示部材３４を照射し、更に第４の透明板３３Ｄでは、右上段に左下がり傾斜状に配設されたＬＥＤランプ３２ｉおよび左下段に右上がり傾斜状に配設されたＬＥＤランプ３２ｊが、第５有効ラインＬ５に対応する前記溝部３５Ｅを形成した表示部材３４を照射する。なお、第２実施例においても表示部材３４の左右両側端面３９,４０にＬＥＤランプ３２(３２ａ〜３２ｊ)が配設されていることに伴い、前記各溝部３５Ａ,３５Ｂ,３５Ｃ,３５Ｄ,３５Ｅにおける反射面３８,３８の不透明度は、図６(ｂ)に示すように、両側端面３９,４０の側から中央部に向けて徐々に増大するよう設定してある。
【００２３】
このように構成された第２実施例に係る図柄表示装置の有効ライン表示構造では、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には該ＬＥＤランプ３２ａ〜３２ｊからの照射光が対応の表示部材３４に設けた溝部３５Ａ,３５Ｂ,３５Ｃ,３５Ｄ,３５Ｅの反射面３８,３８で反射し、これにより明輝した該溝部３５Ａ,３５Ｂ,３５Ｃ,３５Ｄ,３５Ｅが前記透視板体３１の表面３７に有効ラインＬ１,Ｌ２,Ｌ３,Ｌ４,Ｌ５として表示される。例えば、前記ＬＥＤランプ３２ａ,３２ｂが点灯制御された際には溝部３５Ａが明輝して第１有効ラインＬ１が鮮明に表示され、前記ＬＥＤランプ３２ｃ,３２ｄが点灯制御された際には溝部３５Ｂが明輝して第２有効ラインＬ２が鮮明に表示される。また前記ＬＥＤランプ３２ｅ,３２ｆが点灯制御された際には、溝部３５Ｃが明輝して第３有効ラインＬ３が鮮明に表示され、前記ＬＥＤランプ３２ｇ,３２ｈが点灯制御された際には溝部３５Ｄが明輝して第４有効ラインＬ４が鮮明に表示され、更に前記ＬＥＤランプ３２ｉ,３２ｊが点灯制御された際には、溝部３５Ｅが明輝して第５有効ラインＬ５が鮮明に表示される。
【００２４】
そして第２実施例の有効ライン表示構造では、第１の透明板３３Ａと第３の透明板３３Ｃおよび第４の透明板３３Ｄを重ね合わせることで、合計５本の各有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板が必要)と比較すると、透視板体３１の厚みをかなり小さく抑えることができるから、図柄表示部３０に停止表示される各図柄２７が歪んで見える等の透視弊害が生ずることはなく、また部材点数の増加に伴うコストアップを招来することもない。更に溝部３５Ｄと溝部３５Ｅとは、第３の透明板３３Ｃと第４の透明板３３Ｄとに別々に形成されてクロスしない状態で別々のＬＥＤランプ３２によって照射されるから、夫々が鮮明に明輝されて第４有効ラインＬ４と第５有効ラインＬ５とが適切かつ鮮明に区分表示される。しかも、各溝部３５Ａ,３５Ｂ,３５Ｃ,３５Ｄ,３５Ｅが全体的に略均一的に明輝するので、夫々に対応した各有効ラインＬ１,Ｌ２,Ｌ３,Ｌ４,Ｌ５が鮮明に表示される。
【００２５】
【変更例】
なお、前記有効ラインＬ１〜Ｌ５に対応した各溝部３５Ａ,３５Ｂ,３５Ｃ,３５Ｄ,３５ＥをＬＥＤランプ３２で照射する態様は、前記第１実施例および第２実施例に示したものに限定されるものではない。例えば、前記第１実施例および第２実施例では、表示部材３４における溝部３５を照射するためのＬＥＤランプ３２(３２ａ〜３２ｆ)を左右両側端面３９,４０に１個ずつ配置した場合で説明したが、図１０に示す如く、左右両側端面３９,４０において表示部材３４の透明板３３に対する突出方向に複数のＬＥＤランプ３２を配設してもよい。この場合に、ＬＥＤランプ３２を平行状に配置してもよいし、端面３９,４０に対して所要角度傾斜させてもよい。このように１つの端面３９,４０に対して複数のＬＥＤランプ３２を配置した場合は、ＬＥＤランプ３２からの照射光が対応の溝部３５の反射面３８,３８に対して所要角度で到達するようになり、この場合でも該溝部３５を適切に明輝させることが可能である。なお、図１０では、水平状態の表示部材３４に対して複数のＬＥＤランプ３２を配置した場合を示したが、右下がりまたは左下がりの表示部材３４に対しても、同様に複数のＬＥＤランプ３２を配置することが可能である。
【００２６】
なお、前記各ＬＥＤランプ３２で対応の溝部３５Ａ,３５Ｂ,３５Ｃ,３５Ｄ,３５Ｅを照射することにより第１〜第５の有効ラインＬ１,Ｌ２,Ｌ３,Ｌ４,Ｌ５を表示するタイミングや態様等は、パチンコ機、スロットマシンあるいはパチンコ式スロットマシンの遊技態様に依存するものであって各遊技機毎に異なっている。例えばパチンコ機では、図柄変動遊技中にリーチ状態となった際に、前記複数のＬＥＤランプ３２を自動的に選択して点灯制御することで、特定の図柄組合わせが成立する可能性のある図柄配列を有効ラインＬ１,Ｌ２,Ｌ３,Ｌ４,Ｌ５で好適に表示することが可能である。また、スロットマシンあるいはパチンコ式スロットマシンでは、遊技機使用権利媒体であるコインやパチンコ球の投入数量に応じて、前記複数のＬＥＤランプ３２を自動的に選択して点灯制御することで、表示する有効ラインＬ１,Ｌ２,Ｌ３,Ｌ４,Ｌ５の数を選択し得る。
【００２７】
また、前述した変更例における有効ライン表示構造では、複数個のＬＥＤランプ３２(３２ａ〜３２ｊ)を使用して各有効ラインＬ１,Ｌ２,Ｌ３,Ｌ４,Ｌ５を表示するよう構成したから、夫々のＬＥＤランプ３２の点灯タイミングや点灯時間等を変化させることにより、例えば光が有効ラインＬ１,Ｌ２,Ｌ３,Ｌ４,Ｌ５上を移動する如く見えるようにしたり、点滅して見えるようにする等の多様なライン表示が可能となる。また、複数の異なる発光色に設定されるＬＥＤランプ３２を使用すれば、有効ラインＬ１,Ｌ２,Ｌ３,Ｌ４,Ｌ５のカラー表示も可能となる。例えば、各有効ラインＬ１,Ｌ２,Ｌ３,Ｌ４,Ｌ５毎に異なる発光色のＬＥＤランプ３２を用いたり、あるいは表示部材３４の左側端面３９側に配置されるＬＥＤランプ３２と右側端面４０側に配置されるＬＥＤランプ３２との発光色を異ならせてもよい。なお、各端面３９,４０に対応して複数のＬＥＤランプ３２を配置する例においては、各ＬＥＤランプ３２の発光色を異ならせると共に、各ランプ３２を選択的に点灯制御することで、同じ有効ラインを異なる色で表示することも可能となる。更に、各端面４９,４０側において配置される複数のＬＥＤランプ３２を同色として濃淡のみを異ならせることで、有効ラインにグラデーションを付与することもできる。
【００２８】
また、前記実施例や変更例では、各表示部材３４の左側端面３９および右側端面４０の近傍にＬＥＤランプ３２を配置した場合を例示したが、前述したように、左側端面３９または右側端面４０の何れか一方にのみＬＥＤランプ３２を配設するようにしてもよい。この場合においても、各表示部材３４に対して複数のＬＥＤランプ３２を配置したり、その発光色を異ならせる等の各種変更例を採用し得る。
【００２９】
前記各溝部３５Ａ,３５Ｂ,３５Ｃ,３５Ｄ,３５Ｅは、実施例に示すように断面Ｖ字状に限定されるものではなく、ＬＥＤランプ３２からの照射光を適切に反射し得れば、例えば断面コ字状あるいはＵ字状等であってもよい。また実施例等では、溝部３５は表示部材３４の上面側に形成したが、下面側に形成してもよい。
【００３０】
なお前記実施例では、透視板体３１に５本の有効ラインＬ１,Ｌ２,Ｌ３,Ｌ４,Ｌ５を設けることを前提に説明したが、該透視板体３１に４本以下または６本以上の有効ラインを設けることも可能である。何れの場合でも、最小限の透明板を使用して全ての有効ラインを好適に表示することが可能となる。
【００３１】
また前記実施例では、ベルト式図柄表示装置を例示したが、本願の有効ライン表示構造が対象とする図柄表示装置は、前述したドラム式図柄表示装置および液晶式図柄表示装置等も含まれることは勿論である。
【００３２】
【発明の効果】
以上説明した如く、本発明に係る図柄表示装置の有効ライン表示構造によれば、光源からの照射光を、透視板体を構成する透明板に設けられた表示部材における溝部の反射面で反射させ、これにより明輝した該溝部で有効ラインを表示するようにしたから、有効ラインが鮮明に表示されて視認性が向上する利点がある。
【００３４】
前記光源を、前記表示部材の左側端面および右側端面に隣接して夫々配設した場合は、表示部材の溝部を平面視において略Ｖ字状に形成すると共に、前記溝部の反射面の不透明度を、両側端面の側から中央部に向けて徐々に増大するよう設定すれば、光源からの遠近に拘らず該溝部全体が略均一的に明輝して有効ラインを鮮明に表示し得る利点がある。
【００３５】
前記光源を、前記透明板に対する表示部材の突出方向に離間して複数個並べて配設すれば、これら光源からの照射光を前記溝部の反射面に対して斜めに照射させることが可能となり、該照射光が反射面で好適に反射して有効ラインが鮮明に表示される。特に、表示部材の溝部を平面視において略Ｖ字状に形成されていることで、光源からの照射光が溝部の反射面に対して斜めに照射され、該照射光が反射面で好適に反射して有効ラインがより鮮明に表示される。
【図面の簡単な説明】
【図１】本発明の第１実施例に係る図柄表示装置の有効ライン表示構造を示す概略斜視図である。
【図２】第１の透明板と第２の透明板とを前後に重ね合わせることで、図１に示した透視板体を形成する状態を示す斜視図である。
【図３】図１に示した有効ライン表示構造を実施した図柄表示装置を、大型装飾部品を取付けた遊技盤の裏側に搭載した状態で示す縦断側面図である。
【図４】透視板体を構成する各透明板の形態を示す概略斜視図であって、(ａ)は溝部を形成した３枚の表示部材を配設した第１の透明板を例示し、(ｂ)は溝部を形成した２枚の表示部材を交差状態で配設した第２の透明板を例示し、(ｃ)は溝部を形成した表示部材を右下がり状態で配設した第３の透明板を例示し、(ｄ)は溝部を形成した表示部材を左下がり状態で配設した第４の透明板を例示している。
【図５】表示部材の両側端面に配設したＬＥＤランプからの照射光が溝部を形成する反射面で反射して透明板の表面側へ出光することで、該溝部が明輝して有効ラインを表示する態様を示す説明断面図である。
【図６】表示部材の左側端面および右側端面に隣接してＬＥＤランプを夫々配置した場合において、(ａ)は平面視において略Ｖ字状に形成した溝部を示す平面図であり、(ｂ)は反射面の不透明度を、両側端面の側から中央部に向けて徐々に増大するよう設定したことを示す説明断面図である。
【図７】表示部材の左側端面または右側端面の何れかにＬＥＤランプを配設した場合において、溝部を形成する反射面の不透明度を、該ＬＥＤランプを配設した側端面の側から反対側の側端面の側に向けて徐々に増大するよう設定したことを示す説明断面図である。
【図８】本発明の第２実施例に係る図柄表示装置の有効ライン表示構造を示す概略斜視図である。
【図９】第１の透明板、第３の透明板および第４の透明板を前後に重ね合わせることで、図８に示した透視板体を形成する状態を示す斜視図である。
【図１０】表示部材の各側端面に対して複数のＬＥＤランプを配設した状態を示す概略斜視図である。
【図１１】図柄表示装置を裏側に設置したパチンコ機の遊技盤を示す正面図である。
【図１２】図１１に示した遊技盤を、図柄表示装置の設置部位で破断した側断面図である。
【図１３】３列×３段で合計９個の図柄を図柄表示部に停止表示する図柄表示装置の場合に、特定の図柄組合わせが成立可能な有効ラインを、大型装飾部品の透視窓部に配設した透視板体に形成した状態を示す説明図である。
【符号の説明】
２７  図柄
３０  図柄表示部
３１  透視板体
３２(３２ａ〜３２ｊ)  ＬＥＤランプ(光源)
３３  透明板
３３Ａ  第１の透明板
３３Ｂ  第２の透明板
３３Ｃ  第３の透明板
３３Ｄ  第４の透明板
３４  表示部材
３５  溝部
３５Ａ  (第１の透明板の)溝部
３５Ｂ  (第１の透明板の)溝部
３５Ｃ  (第１の透明板の)溝部
３５Ｄ  (第２,３の透明板の)溝部
３５Ｅ  (第２,４の透明板の)溝部
３８  反射面
３９  表示部材の左側端面
４０  表示部材の右側端面
Ｌ１  第１有効ライン
Ｌ２  第２有効ライン
Ｌ３  第３有効ライン
Ｌ４  第４有効ライン
Ｌ５  第５有効ライン
【図１】
0004707899.tif 000002
【図２】
0004707899.tif 000003
【図３】
0004707899.tif 000004
【図４】
0004707899.tif 000005
【図５】
0004707899.tif 000006
【図６】
0004707899.tif 000007
【図７】
0004707899.tif 000008
【図８】
0004707899.tif 000009
【図９】
0004707899.tif 000010
【図１０】
0004707899.tif 000011
【図１１】
0004707899.tif 000012
【図１２】
0004707899.tif 000013
【図１３】
0004707899.tif 000014